(57)【要約】【課題】  転倒しても中に収容した小物が飛び出すことのない小物収容ケースを提供することである。【解決手段】  ねじで代表される小物を収容する小物収容ケースであって、開口部を有し小物を収容するケース本体と、該ケース本体に取り外し可能に装着されて該開口部を閉塞するカバーとを具備し、該カバーは、該ケース本体の開口部に着脱自在に係合する係合部と、該ケース本体の中央に形成され小物の通過を許容する口部と、該係合部と該口部とを接続する逆円錐形状の漏斗部とを有していることを特徴とする。【選択図】図２
2011168302.tif 000002
【特許請求の範囲】
【請求項１】
ねじで代表される小物を収容する小物収容ケースであって、
開口部を有し小物を収容するケース本体と、
該ケース本体に取り外し可能に装着されて該開口部を閉塞するカバーとを具備し、
該カバーは、該ケース本体の開口部に着脱自在に係合する係合部と、該ケース本体の中央に形成され小物の通過を許容する口部と、該係合部と該口部とを接続する逆円錐形状の漏斗部とを有していることを特徴とする小物収容ケース。
【請求項２】
該ケース本体には永久磁石が配設されていて適宜の場所に固定できる請求項１記載の小物収容ケース。
【請求項３】
該ケース本体の前記開口部又は該カバーの前記係合部に固定された環状弾性部材を更に具備し、該環状弾性部材を介して該ケース本体の開口部に該カバーの係合部が嵌合して該カバーが該ケース本体に装着される請求項１又は２記載の小物収容ケース。
【発明の詳細な説明】
【技術分野】
【０００１】
本発明はねじ等の小物を収容する小物収容ケースに関する。
【背景技術】
【０００２】
ＩＣ、ＬＳＩ等の複数のデバイスが格子状に形成された複数の分割予定ライン（ストリート）によって区画された領域に形成された半導体ウエーハは、研削装置によって裏面が研削されて所定の厚みに加工された後、ダイシングソーと称される切削装置によって分割予定ラインが切削されて個々のデバイスに分割され、分割されたデバイスは携帯電話、パソコン等の電気機器に広く利用されている。
【０００３】
研削装置、切削装置等の加工装置の性能を一定水準に保つためには、メンテナンス、修理、部品交換等の作業を行う必要があり、これらの作業を行う際に一般的にねじ又はボルトを取り外す。取り外したねじ、ボルト等は小物収容ケースに収容し、作業が完了した際に再びねじを螺着して元の状態に戻している。
【先行技術文献】
【特許文献】
【０００４】
【特許文献１】特開平７−２３７０９１号公報
【発明の概要】
【発明が解決しようとする課題】
【０００５】
しかし、従来の小物収容ケースでは、作業中に小物収容ケースが転倒してねじ、ボルト等が散乱して紛失するという問題がある。
【０００６】
本発明はこのような点に鑑みてなされたものであり、その目的とするところは、転倒しても中に収容された小物が散乱することのない小物収容ケースを提供することである。
【課題を解決するための手段】
【０００７】
本発明によると、ねじで代表される小物を収容する小物収容ケースであって、開口部を有し小物を収容するケース本体と、該ケース本体に取り外し可能に装着されて該開口部を閉塞するカバーとを具備し、該カバーは、該ケース本体の開口部に着脱自在に係合する係合部と、該ケース本体の中央に形成され小物の通過を許容する口部と、該係合部と該口部とを接続する逆円錐形状の漏斗部とを有していることを特徴とする小物収容ケースが提供される。
【０００８】
好ましくは、ケース本体の外周には永久磁石が固定されており、小物収容ケースを適宜の場所に固定できる。好ましくは、ケース本体の開口部又はカバーの係合部には環状弾性部材が固定されており、この環状弾性部材を介してカバーの係合部をケース本体の開口部に嵌合して、カバーをケース本体に装着する。
【発明の効果】
【０００９】
本発明によると、漏斗部を有するカバーの口部を通してねじ等の小物がケース本体内に収容されるので、小物収容ケースが転倒してもケース本体に収容された小物がケース本体から飛び出すことがなく、小物の散乱を防止することができる。
【００１０】
また、ケース本体に配設された永久磁石によって小物収容ケースを加工装置の外壁等に適宜固定できるので、作業性を向上することができる。更に、環状弾性部材を介してカバーがケース本体に着脱自在に装着されるので、カバーをケース本体から取り外してねじ等の小物を容易に取り出すことができる。
【図面の簡単な説明】
【００１１】
【図１】第１実施形態に係る小物収容ケースの分解斜視図である。
【図２】第１実施形態の小物収容ケースの斜視図である。
【図３】第１実施形態の小物収容ケースの縦断面図である。
【図４】第２実施形態の小物収容ケースの縦断面図である。
【発明を実施するための形態】
【００１２】
以下、本発明の実施形態を図面を参照して詳細に説明する。図１を参照すると、本発明第１実施形態の小物収容ケース２の分解斜視図が示されている。図２は第１実施形態の斜視図、図３はその縦断面図である。
【００１３】
小物収容ケース２は、例えばＰＥＴ（ポリエチレンテレフタレート）等の合成樹脂から形成された円筒状ケース本体４と、同じくＰＥＴ等の合成樹脂から形成されケース本体４に着脱可能に装着されるカバー１０とから構成される。
【００１４】
ケース本体４はその上端に開口６を有しており、ケース本体４の外周面上には永久磁石８が接着剤等により固定されている。カバー１０は、ケース本体４の開口６に着脱自在に係合する係合部１２と、カバー１０の中央に形成されねじ等の小物の通過を許容する口部１４と、係合部１２と口部１４とを接続する逆円錐形状の漏斗部１６を有している。
【００１５】
カバー１０の係合部１２の外周にはスポンジ等から形成された環状弾性部材１８が接着剤等により固定されている。係合部１２の内周面は大径の開口１２ａを画成している。本実施形態の変形例として、カバー１０の係合部１２に環状弾性部材１８を固定するのに替えて、ケース本体４の先端部の内周面に環状弾性部材１８を接着剤等により固定するようにしてもよい。
【００１６】
カバー１０に固定された環状弾性部材１８を介してカバー１０の係合部１２をケース本体４の開口６に嵌合することにより、図２及び図３に示すように、カバー１０はケース本体４に装着される。
【００１７】
このように組み立てられた小物収容ケース２は、加工装置の外壁等に永久磁石８で磁着して固定して使用する。加工装置の修理作業等に便利な場所に小物収容ケース２を固定することにより、作業者の作業性を向上することができる。
【００１８】
加工装置の修理作業時に取り外したねじ２０等の小物は、図２に示すようにカバー１０の大径開口１２ａを介して小物収容ケース２内に投入される。本実施形態の小物収容ケース２では、逆円錐形状の漏斗部１６の先端に形成された口部１４の内径がケース本体４の内径に比較して相当小さく形成されているので、一旦小物収容ケース２内に投入された小物は、小物収容ケース２が転倒してもカバー１０の口部１４を介して外に飛び出ることは殆どなく、小物の散乱を防止することができる。
【００１９】
加工装置の修理作業等が終了して、小物収容ケース２内からねじ等の小物を取り出したい場合には、カバー１０をケース本体４から取り外した後に、ケース本体４内に収容されている小物を取り出すようにする。
【００２０】
図４を参照すると、本発明第２実施形態に係る小物収容ケース２Ａの縦断面図が示されている。本実施形態の小物収容ケース２Ａでは、ケース本体４の上端部外周に雄ねじ７が形成されている。
【００２１】
カバー１０Ａは断面概略Ｕ形状に屈曲した係合部２２を有しており、係合部２２の内周面に雌ねじ２３が形成されている。カバー１０Ａをケース本体４に装着するには、雌ねじ２３を雄ねじ７に螺合することにより、図４に示すようにカバー１０Ａをケース本体４に装着する。
【符号の説明】
【００２２】
２，２Ａ    小物収容ケース
４    ケース本体
６    開口
８    永久磁石
１０，１０Ａ    カバー
１２，２２    係合部
１４    口部
１６    漏斗部
１８    環状弾性部材
【図１】
2011168302.tif 000003
【図２】
2011168302.tif 000004
【図３】
2011168302.tif 000005
【図４】
2011168302.tif 000006